(57)【要約】【課題】  投影機の電源装置と制御装置とを取り付けるべく、合成樹脂からなる装置筐体の裏面の支持剛性向上を図る。【解決手段】  映写装置１において、投影機３と反射鏡４とスクリーン５とが合成樹脂からなる装置筐体２の前部に設けられ、金属からなる上部品取付具３０が上部を抱え持つ格好で装置筐体２の裏面に取り付けられ、金属からなる下部品取付具４５が装置筐体２の下部を抱え持つ格好で装置筐体２の裏面に取り付けられ、電源装置１４５が上部品取付具３０に取り付けられ、制御装置である主制御装置１４８と複合制御装置１４９とが単一構成の制御取付基板１８に取り付けられ、制御取付基板１８が上部品取付具３０と下部品取付具４５とにわたって取り付けられ、電源装置１４５と主制御装置１４８および複合制御装置１４９以外の映写に必要な電気部品である投影機駆動回路と図柄制御装置１５０が装置筐体２の裏面に取り付けられている。【選択図】        図１
2005144002.tif 000002
【特許請求の範囲】
【請求項１】
遊技機枠に取り付けられる合成樹脂からなる装置筐体に投影機と反射鏡およびスクリーンを組み付けた単一構造体として形成された映写装置において、装置筐体の裏面には金属製の部品取付具が取り付けられ、部品取付具の裏面には電源装置と制御装置とが取り付けられたことを特徴とする遊技機の映写装置。
【請求項２】
電源装置が装置筐体の裏面の上部に設けられたことを特徴とする請求項１記載の遊技機の映写装置。
【請求項３】
電源装置の電源用電気部品の実装された電源回路基板を内部に格納する電源筐体が金属からなることを特徴とする請求項１記載の遊技機の映写装置。
【請求項４】
電源装置が上に位置し、制御装置が下に位置したことを特徴とする請求項１記載の遊技機の映写装置。
【請求項５】
制御装置を構成する主制御装置と複合制御装置とが単一構成の制御取付基板に取り付けられ、この制御取付基板が装置筐体の裏面に取り付けられたことを特徴とする請求項１記載の遊技機の映写装置。
【請求項６】
部品取付具の裏面に取り付けられる制御装置が主制御装置と複合制御装置とであって、それ以外の映写に必要な電気部品が装置筐体の裏面に取り付けられたことを特徴とする請求項１記載の遊技機の映写装置。
【請求項７】
部品取付具が上部品取付具と下部品取付具との別々に形成されたことを特徴とする請求項１記載の遊技機の映写装置。
【請求項８】
上部品取付具が中央に大きな抜開口を備えたことを特徴とする請求項７記載の遊技機の映写装置。
【発明の詳細な説明】
【技術分野】
【０００１】
本発明は、合成樹脂からなる装置筐体の裏面に投影機の電源装置と制御装置とを取り付けるための支持剛性の高い遊技機の映写装置に関する。
【背景技術】
【０００２】
パチンコ機やスロットマシンなどの遊技機の映写装置は、遊技機枠の下部に液晶表示器を使用したプロジェクターと呼ばれる投影機を配置し、遊技機枠の上部に設けられた遊技盤の裏側に、反射鏡と、フレネルレンズからなる平板状の視野レンズと呼ばれるスクリーンとを配置し、投影機の投影光源から光を画像の表示されている液晶表示器に照射し、その投影光を投影機の投影レンズで拡大し、その拡大された投影光を反射鏡で前側に反射してスクリーンに上記液晶表示器で表示された画像を拡大して映写する構造である。しかしながら、投影機、反射鏡、スクリーンなど、映写装置を構成する複数の構成部品が、遊技機枠に個別に取り付けられた場合、複数の構成部品相互の位置関係が微妙に狂い、スクリーンに映し出された画像がぼけて品質信頼性に欠けるうえ、映写装置の遊技機枠への組立作業に多大な労力と時間とを要するという欠点がある。そこで、合成樹脂からなる装置筐体に投影機と反射鏡およびスクリーンなどを組み付けることで映写装置を単一集合構造体として形成する一方、装置筐体の裏面に投影機の電源装置と制御装置とを取り付けることで投影機の焦点調整を容易に行えるとともに複数の構成部品の設置密度を高めて映写装置を全体的に小形化することが考えられるが、電源装置や制御装置などの電気部品を合成樹脂からなる装置筐体の裏面に取り付けた場合、装置筐体に歪を生じることがあり、装置筐体に歪を生じると、投影機と反射鏡とスクリーン相互の位置関係が微妙に狂い、スクリーンに映し出された画像がぼけて品質信頼性に欠けるため、にわかに採用しがたい。
【特許文献１】特開２００３−２２０１９４号公報
【特許文献２】特開平６−３５０６６号公報
【発明の開示】
【発明が解決しようとする課題】
【０００３】
発明が解決しようとする問題点は、投影機と反射鏡およびスクリーンを組み付けた合成樹脂からなる装置筐体の裏面に、電源装置や制御装置などの電気部品を取り付けた場合、装置筐体に歪を生じることがあるという点である。
【課題を解決するための手段】
【０００４】
本発明に係る遊技機の映写装置は、遊技機枠に取り付けられる合成樹脂からなる装置筐体に投影機と反射鏡およびスクリーンを組み付けた単一構造体として形成された映写装置において、装置筐体の裏面には金属製の部品取付具が取り付けられ、部品取付具の裏面には電源装置と制御装置とが取り付けられたことを最も主要な特徴とする。電源装置が装置筐体の裏面の上部に設けられたり、電源装置の電源用電気部品の実装された電源回路基板を内部に格納する電源筐体が金属からなったり、電源装置が上に位置し、制御装置が下に位置したり、制御装置を構成する主制御装置と複合制御装置とが単一構成の制御取付基板に取り付けられ、この制御取付基板が装置筐体の裏面に取り付けられたり、部品取付具の裏面に取り付けられる制御装置が主制御装置と複合制御装置とであって、それ以外の映写に必要な電気部品が装置筐体の裏面に取り付けられたり、部品取付具が上部品取付具と下部品取付具との別々に形成されたり、上部品取付具が中央に大きな抜開口を備えたりすることも特徴とする。
【発明の効果】
【０００５】
本発明に係る遊技機の映写装置は、金属からなる部品取付具が合成樹脂からなる装置筐体の裏面に取り付けられたので、装置筐体を構成する壁の厚さを薄くして軽量化を図っても、装置筐体を部品取付具で補強し、装置筐体の変形を抑えることができ、装置筐体の内部に取り付けられた反射鏡を適正な姿勢に保持し、鮮明な画像をスクリーンに映し出すことができるという利点がある。しかも、電源装置が装置筐体の裏面に設けられた部品取付具に取り付けられたので、電源装置を合成樹脂からなる装置筐体に直接的に取り付けた場合に比べ、装置筐体が電源装置の重さで変形することも抑えることができるという利点がある。電源装置が装置筐体の裏面の上部に設けられれば、電源装置の動作で電源装置の内部に発生した熱を電源装置から上方の大気中に放出することができる。電源装置の電源用電気部品の実装された電源回路基板を内部に格納する電源筐体が金属からなれば、電源筐体が金属からなる部品取付具に接触するので、電源装置の動作で電源装置の内部に発生した熱を電源筐体から部品取付具に伝達して大気中に放出することができ、電源装置を効率よく冷却することができるという利点がある。電源装置が上に位置し、制御装置が下に位置すれば、電源装置から放出される熱が制御装置に作用することがなく、制御装置の熱劣化を防止することができるという利点がある。制御装置を構成する主制御装置と複合制御装置とが単一構成の制御取付基板に取り付けられ、この制御取付基板が装置筐体の裏面に取り付けられれば、主制御装置と複合制御装置との装置筐体への着脱容易化を図ることができるという利点がある。部品取付具の裏面に取り付けられる制御装置が主制御装置と複合制御装置であって、それ以外の映写に必要な電気部品が装置筐体の裏面に取り付けられれば、投影レンズの焦点調整を容易に行うことができるという利点がある。部品取付具が上部品取付具と下部品取付具との別々に形成されれば、上部品取付具および下部品取付具を装置筐体に別々に取り付ける必要はあるものの、映写装置の軽量化を一層図ることができるという利点がある。上部品取付具が中央に大きな抜開口を備えれば、上部品取付具の軽量化も図ることができるという利点がある。
【発明を実施するための最良の形態】
【０００６】
図１−図１０は、一実施形態である。図１は、映写装置１の縦断面を示す。図２は、映写装置１の前側からの外観を示す。図３は、映写装置１の裏側に取り付けられる電源装置１４５、投影機駆動回路１４６、主制御装置１４８、複合制御装置１４９、図柄制御装置１５０、上部品取付具３０、下部品取付具４５などの構成部品を分解して示す。図４は、映写装置１の裏側に各構成部品を取り付ける工程を示す。図５は、遊技機枠７１の外観を示す。図６は、遊技盤１１０の外観を示す。図７は、映写装置１の取り付けられた遊技機枠７１と遊技盤１１０との外観を示す。図８は、映写装置１と遊技機枠７１との背面を示す。図９は、電気系統を示す。図１０は、パチンコ機の外観を示す。
【０００７】
図２を参照し、遊技機をパチンコ機とした映写装置１の前側の構造について説明する。映写装置１は、遮光性合成樹脂からなる前側に開放した箱形の装置筐体２に、投影機３、反射鏡４、スクリーン５を組み付けた、ユニットと呼ばれる単一集合構造体として形成される。装置筐体２の周縁には、装置取付部６が設けられる。装置取付部６は、映写装置１を、図５に示す遊技機枠７１の可動枠７５の裏面に、取り付けるための部分である。投影機３は、投影機筐体の下部に投影光源７を内蔵し、投影機筐体の上下方向中間部に液晶表示器８を内蔵し、投影機筐体の上部に投影レンズ９を焦点調整可能に備え、投影機筐体の外側に、モータで駆動されるシロコタイプのブロワーファンのような空冷機１０と、液晶表示器８の投影機制御回路１４７とを備える。空冷機１０は、投影機筐体の内部を空気で冷却する機器である。
【０００８】
そして、装置筐体２の前側から上内部に収納された反射鏡４が、装置筐体２における上方から下方に行くに従って徐々に前側から裏側に傾斜する前傾姿勢の裏壁に取り付けられる。これによって、反射鏡４が装置筐体２の上内部に前傾姿勢で取り付けられる。また、投影機３の投影レンズ９が上方で、投影機３の投影光源７が下方となるように、投影機３が装置筐体２の前側から下内部に収納されて装置筐体２に取り付けられる。投影機３が装置筐体２に取り付けられた後、遮光性合成樹脂よりなる前被覆体１１が、投影機３の前側を被覆する格好で、装置筐体２の下前部にタッピングスクリューのような止ねじ１２で取り付けられる。その後、スクリーン５が反射鏡４の取り付けられた部分における装置筐体２の前側開口を覆うように、装置筐体２の周壁１３の前面に、前側から重ね合わされて接触して搭載される。そして、左右のスクリーン支持体１４が装置筐体２にタッピングスクリューのような止ねじ１５で取り付けられることによって、スクリーン５が左右のスクリーン支持体１４で装置筐体２の前面に取り付けられる。
【０００９】
このように、投影機３、反射鏡４、スクリーン５が、装置筐体２に取り付けられた形態において、投影レンズ９の焦点調整が行われる。それには、投影機３の液晶表示器８に直流電源を供給してテスト画像を表示し、投影機３の投影光源７に交流電源を供給する。これによって、投影機３の投影光源７が光を画像の表示されている液晶表示器８に照射し、その投影光が投影機３の投影レンズ９で拡大され、その拡大された投影光が反射鏡４で前側に反射してスクリーン５に上記液晶表示器８で表示されたテスト画像を拡大して映写する。その状態において、例えば、作業者が、手を、前被覆体１１の前側から前被覆体１１の作業開口部１６を経由して装置筐体２の内部に入れて、投影機３の投影レンズ９を回転操作し、上記スクリーン５に映し出されたテスト画像が焦点の合わされた態様となるように、作業者が焦点調整を行う。その後、遮光性合成樹脂よりなる蓋体１７が作業開口部１６を閉鎖するように前被覆体１１に取り付けられる。これによって、箱形の装置筐体２に投影機３と反射鏡４とスクリーン５とを組み付けた単一集合構造体に形成された映写装置１が、図２に示す格好に構成される。
【００１０】
図３を参照し、装置筐体２の裏面に取り付けられる映写装置１における各構成部品の構造について説明する。反射鏡４の取り付けられる部分における装置筐体２の前傾姿勢となった裏壁には、複数の上部品取付具取付部２０と複数の下部品取付具取付部２１と複数の逃部２２とが、装置筐体２の裏壁から前側に窪む格好で設けられる。上部品取付具取付部２０の前側に窪んだ底部は、装置筐体２における図２に示すスクリーン５の取り付けられる周壁１３の前面と平行な垂直面を形成する。この垂直面を形成する底部には、上部品取付具取付孔２３が形成される。上部品取付具取付孔２３は、上部品取付具取付部２０の底部から前側に窪む行き止まりの穴である。投影機３の取り付けられる部分における装置筐体２の垂直な裏壁には、複数の下部品取付具取付部２４と複数の図柄制御装置取付部２５とが設けられる。下部品取付具取付部２４は、装置筐体２の裏壁から前側に窪む行き止まりの穴である。図柄制御装置取付部２５は、装置筐体２の裏壁から裏側に突出する筒状である。装置取付部６の裏面には、複数の投影機駆動回路取付部２６が設けられる。
【００１１】
上部品取付具３０は、装置筐体２の反射鏡４を取り付ける部分の裏側に取り付けられる鉄板のような金属からなる部材であって、横長な主板部３１と、上部品取付具３０の軽量化のために主板部３１に形成された抜開口３２と、主板部３１に形成された複数の上電源装置取付部３３と、主板部３１に形成された複数の下電源装置取付部３４と、下電源装置取付部３４の間に位置して主板部３１に切り起こし形成された電源受部３５と、主板部３１に形成された複数の制御取付基板取付部３６と、主板部３１の上縁部から前側に折り曲げられた上壁３７と、主板部３１から抜開口３２に突出する前傾姿勢に折り曲げられた複数の上取付足３８と、主板部３１の下部から下方に突出する前傾姿勢に折り曲げられた複数の下取付足３９とを備える。下電源装置取付部３４は、主板部３１から裏側に押し出されて、上方に開口された溝を形成する形態である。上・下取付足３８；３９には、基板側取付孔４０；４１が個別に形成される。
【００１２】
下部品取付具４５は、装置筐体２の反射鏡４を取り付ける部分と投影機３を取り付ける部分との裏側にわたって取り付けられる鉄板のような金属からなる部材であって、横長な主板部４６と、主板部４６の上縁から前側に折り曲げられた前傾状の上壁４７と、上壁４７の左右部から前側に筒状に突出する制御取付基板取付部４８と、主板部４６の左右隅部から前側に折り曲げられた左・右取付脚４９；５０と、左・右取付脚４９；５０から個別に下方に折り曲げられた左・右取付足５１；５２とを備える。主板部４６には、基板側取付孔５３が形成される。左・右取付足５１；５２には、基板側取付孔５４が個別に形成される。
【００１３】
電源装置１４５は、図外の電源用電気部品の実装された電源回路基板が、電源筐体１４５ａの内部に格納された形態である。電源筐体１４５ａは、多数の放熱孔の形成された鉄板のような金属からなる閉鎖空間を形成する側面視五角形の箱形であって、電源筐体１４５ａの裏壁の下半部が上から下に行くに従って徐々に前側に傾斜する後傾姿勢になっている。電源筐体１４５ａは、左右側部から外側に突出する電源筐体取付部１４５ｂを備える。電源筐体取付部１４５ｂの上部には電源筐体側取付孔１４５ｃが形成される。投影機駆動回路１４６は、図外の投影機駆動用電気部品の実装された投影機駆動回路基板が、投影機駆動回路筐体１４６ａの内部に格納された形態である。投影機駆動回路筐体１４６ａは、周縁部に回路筐体側取付部１４６ｂを備える。
【００１４】
主制御装置１４８は、図外の主制御用電気部品に実装された主制御回路基板が、光透過性の無色な合成樹脂からなる主制御筐体１４８ａの内部に格納された形態である。複合制御装置１４９は、図外の複合制御用電気部品の実装された複合制御回路基板が、光透過性の無色な合成樹脂からなる複合制御筐体１４９ａの内部に格納された形態である。そして、主制御装置１４８および複合制御装置１４９は、合成樹脂からなる単一構成の制御取付基板１８の裏面に取り付けられた形態である。制御取付基板１８は周縁部に制御取付基板側取付部１８ａを備える。図柄制御装置１５０は、図外の図柄制御用電気部品の実装された図柄制御回路基板が、光透過性の無色な合成樹脂からなる図柄制御筐体１５０ａの内部に格納された形態である。図柄制御筐体１５０ａは、周縁部に回路筐体側取付部１５０ｂを備える。
【００１５】
図４を参照し、主制御装置１４８、複合制御装置１４９、図柄制御装置１５０、上部品取付具３０、下部品取付具４５などの構成部品の装置筐体２への組立方について説明する。図４のａ図において、上部品取付具３０の上壁３７が装置筐体２の裏壁２ｈから前側に突出する上壁２ｉの裏面に接触して重ね合わされ、上部品取付具３０の主板部３１が装置筐体２の裏壁２ｈの裏面に接触して重ね合わされ、上部品取付具３０の上・下取付足３８；３９が装置筐体２の上部品取付具取付部２０に収納されて上部品取付具取付部２０の垂直状の底部に裏側から重ね合わされる。その後、タッピングスクリューのような止ねじ５５が上・下取付足３８；３９の図３に示す基板側取付孔４０；４１から上部品取付具取付部２０の垂直状の底部に締結されることによって、上部品取付具３０が装置筐体２の反射鏡４を取り付ける部分の裏側に取り付けられる。これによって、合成樹脂からなる装置筐体２の反射鏡４を取り付ける部分が上部品取付具３０で補強される。
【００１６】
下部品取付具４５の上壁４７が装置筐体２の前傾状の裏壁２ｈの下部の裏面に接触して重ね合わされ、下部品取付具４５の主板部４６が装置筐体２の裏壁２ｈから垂直状の部分の裏面に接触して重ね合わされ、下部品取付具４５の左・右取付脚４９；５０が装置筐体２の裏壁２ｈから垂直状の部分を経由して装置筐体２の投影機３を取り付ける部分の裏壁２ｋに連接された横壁２ｍの裏面に接触して重ね合わされ、制御取付基板取付部４８が装置筐体２の図３に示す逃部２２に挿入され、下部品取付具４５の左・右取付足５１；５２が装置筐体２の投影機３を取り付ける部分の裏壁２ｎの裏面に接触して重ね合わされる。その後、タッピングスクリューのような止ねじ５６が主板部４６の図３に示す基板側取付孔５３から下部品取付具取付部２１に締結されるとともに、止ねじ５６が左・右取付足５１；５２の図３に示す基板側取付孔５４から下部品取付具取付部２４に締結されることによって、下部品取付具４５が装置筐体２の反射鏡４を取り付ける部分と投影機３を取り付ける部分との裏側にわたって取り付けられる。これによって、合成樹脂からなる装置筐体２の反射鏡４を取り付ける部分と投影機３を取り付ける部分とが下部品取付具４５で補強される。
【００１７】
図４のｂ図において、電源装置１４５を取り付ける場合、電源筐体１４５ａの前面が上部品取付具３０の主板部３１の裏面と対向した格好で、電源筐体取付部１４５ｂの下部が上部品取付具３０における溝状の下電源装置取付部３４に上から挿入されると、電源筐体１４５ａの中間下部が電源受部３５で受け止められる。そして、タッピングスクリューのような止ねじ５７が、図３に示す電源筐体側取付孔１４５ｃから上部品取付具３０における図３に示す上電源装置取付部３３に締結される。これによって、電源装置１４５が上部品取付具３０の抜開口３２を裏側から覆いつつ上部品取付具３０の裏面に取り付けられる。
【００１８】
図４のｃ図において、主制御装置１４８および複合制御装置１４９の搭載された制御取付基板１８を取り付ける場合、制御取付基板１８の前面が上部品取付具３０の下部裏面と下部品取付具４５の上部裏面とに接触して重ね合わされる。そして、固着具５８が、図３に示す制御取付基板側取付部１８ａから上部品取付具３０の図３に示す制御取付基板取付部３６と下部品取付具４５の図３に示す制御取付基板取付部４８に締結される。これによって、主制御装置１４８および複合制御装置１４９の搭載された制御取付基板１８が上部品取付具３０の裏面と下部品取付具４５の裏面とにわたって取り付けられる。
【００１９】
図４のｄ図において、図柄制御装置１５０を取り付ける場合、図柄制御筐体１５０ａの前面が装置筐体２の裏面と対向した格好で、固定具５９が図３に示す回路筐体側取付部１５０ｂから図柄制御装置取付部２５に結合される。これによって、図柄制御装置１５０が装置筐体２の裏面に取り付けられる。
【００２０】
図５を参照し、パチンコ機における映写装置１の取り付けられる遊技機枠７１の構造について説明する。遊技機枠７１は、パチンコ店の図外の遊技設置構造体に取り付けるための外枠と呼ばれるような金属製の固定枠７２を備える。固定枠７２は前後方向に開放された縦長な長方形の空間を囲む額縁形状である。固定枠７２の下部前面に設けられた幕板部７３には、低音用の図９に示すスピーカー１６６の低音を幕板部７３の裏側から前側に放出する放音孔部７４が左右に設けられる。放音孔部７４の裏面にはスピーカー１６６が個別に取り付けられる。固定枠７２には、前枠または中枠と呼ばれるような可動枠７５が左側の金属製のヒンジ７６で前側横方向に片開き可能にかつ着脱可能（交換可能）に取り付けられる。可動枠７５は、前後方向に開放された縦長な長方形の空間を囲む額縁形状の合成樹脂からなる可動枠本体７７と、可動枠本体７７から内部に延設された合成樹脂からなる遊技主体収納構造体７８とを備える。可動枠７５が閉じられた場合、図外のロック機構によって、開閉不能に固定枠７２に支持される。可動枠本体７７には、パネル枠８１および球皿構造体８２が左側に設けられる図外のヒンジで前側横方向に片開き可能に取り付けられる。パネル枠８１は前後方向に開放された窓８３を囲む額縁形状である。パネル枠８１の裏面には、ガラスまたは合成樹脂からなる光透過性を有する前面パネル８４が窓８３を覆う格好で取り付けられる。パネル枠８１の裏面上部には、中・高音用の図９に示すスピーカー１６６が左右に取り付けられる。このスピーカー１６６の設けられるパネル枠８１の部分には、スピーカー１６６の中・高音をパネル枠８１の裏側から前側に放出する図１０に示す放音孔部８５が設けられる。
【００２１】
パネル枠８１が閉じられた場合、図外のロック機構によって、開閉不能に、可動枠本体７７に支持される。球皿構造体８２が閉じられた場合、ロック機構によって、開閉不能に、可動枠本体７７に支持される。可動枠本体７７の右縦片には施錠装置８６が設けられる。可動枠７５やパネル枠８１および球皿構造体８２が閉じられてロック機構で開閉不能に支持された状態において、遊技店の店員が図外のキープレート（鍵）を遊技機枠７１の前側から施錠装置８６の鍵穴８７に挿入し、当該キープレートを例えば右側に９０度回転操作すると、固定枠７２と可動枠７５とのロック機構による支持形態が解除される。この支持形態の解除後に、店員が可動枠７５を前側に引くことによって、可動枠７５はヒンジ７６を回転中心として前側に片開きされる。また、上記施錠装置８６の鍵穴８７に挿入されたキープレートが例えば左側に９０度回転操作されると、可動枠７５とパネル枠８１とのロック機構による支持形態が解除される。この支持形態の解除後に、店員がパネル枠８１を前側に引くことによって、パネル枠８１は図外のヒンジを回転中心として前側に片開きされる。このように、パネル枠８１が前側に開かれた状態において、店員が可動枠７５の前面に設けられたロック解除操作体８９を操作すると、可動枠７５と球皿構造体８２とのロック機構による支持形態が解除される。この支持形態の解除後に、店員が球皿構造体８２を前側に引くことによって、球皿構造体８２は図外のヒンジを回転中心として前側に片開きされる。球皿構造体８２の前面には、球収納部９０と発射操作機構９１とを備える。球収納部９０は、遊技に使用する球を受ける上方に開放された形態である。球皿構造体８２の裏面には、球を球収納部９０に供給する球取入口９２と、球収納部９０から発射機構１０３に球を供給する球供給口９３とを備える。
【００２２】
遊技主体収納構造体７８は、前側に開放された遊技主体収納室９５と、遊技主体収納室９５の立壁で前後方向に貫通する中央開口部９６とを備える。遊技主体収納室９５の左側部には、図６に示す遊技盤１１０を裏側から前側に押圧する板ばねにより構成された遊技主体押圧部９７と、遊技主体押圧部９７で前側に押された遊技盤１１０を前側から受け止める遊技主体受部９８とを備える。遊技主体収納室９５の右側部には、遊技主体ロック部材９９を備える。遊技主体ロック部材９９は、遊技主体収納構造体７８から前側に突出する円筒状の台座の中心にロック操作部１００を回転可能に備える。ロック操作部１００は、台座から前側に突出した操作軸の端部に固定された横長な形態である。遊技主体収納構造体７８における遊技主体収納室９５よりも下部における前面には、遊技主体棚１０１を備える。遊技主体棚１０１の前面には、発射機構１０３、発射レール１０４、ファール球取入口部１０５、前横樋１０６を備える。発射レール１０４は、球皿構造体８２の球供給口９３から供給された１個の球を受け取る。発射機構１０３は、電力供給と遮断とを交互に受けることによって、球収納部９０から発射レール１０４に供給された１個の球を図６に示す遊技盤１１０の遊技領域１１２に向けて発射する。発射レール１０４は、発射機構１０３から発射された球を、図６に示す遊技盤１１０における発射通路１１５の入口に誘導する。ファール球取入口部１０５は、遊技盤１１０の発射通路１１５から落下する球を取り込む。ファール球取入口部１０５に取り込まれた球は、前横樋１０６を経由して球取入口９２に排出される。前横樋１０６は、可動枠７５の裏部に取り付けられた払出機構１０７から払い出された球を球取入口９２に排出する。可動枠７５の裏部には、タンク１０８を備える。タンク１０８は、遊技設置構造体の補給系統から供給された球を貯蔵し、貯蔵した球を払出機構１０７の球払出動作に伴い払出機構１０７に供給する部品である。
【００２３】
図６を参照し、遊技機枠７１に交換可能に取り付けられる遊技主体としての遊技盤１１０の構造について説明する。遊技盤１１０は、非遊技領域を形成する遮光性合成樹脂からなる周辺飾り構造体１１１と、周辺飾り構造体１１１で囲まれた内側の遊技領域１１２を形成する光透過性合成樹脂からなる板状構造体１１３とを備える。周辺飾り構造体１１１は、遊技主体収納室９５に格納される方形板状の中央に、前後方向に貫通する丸形開口部１１４と、丸形開口部１１４の左側部に前側開放縦溝形状の発射通路１１５とを備える。発射通路１１５の左側面と当該左側面から右側に弧状に延長する丸形開口部１１４の上部弧状側面とには、ステンレスのような金属帯板状の外バンド１１６が一連に付設される。発射通路１１５の右側面および当該右側面から右側に弧状に延長する丸形開口部１１４の下部弧状側面は、発射通路１１５の縦形の底部と丸形開口部１１４より前方に突出する内バンド１１７を形成する。内バンド１１７における下部弧状側面の最下部には、アウト口１１８を囲むとともに球を遊技盤１１０の前側から裏側に排出するハートと呼ばれるアウト口部１１９が、内バンド１１７から内側に突出した格好に連接される。内バンド１１７およびアウト口部１１９は、周辺飾り構造体１１１と一緒に合成樹脂により形成される。よって、発射通路１１５以外における外バンド１１６と内バンド１１７とが遊技領域１１２を囲む丸形開口部１１４である。アウト口部１１９は、遊技領域１１２の最下部に配置される。発射通路１１５は、発射機構１０３から発射された球を遊技領域１１２に案内する通路である。
【００２４】
発射機構１０３から発射された球を発射通路１１５から遊技領域１１２に放出する発射通路１１５の出口には、戻り球防止弁１２０が設けられる。戻り球防止弁１２０の取付部は、内バンド１１７の端部に沿うように、周辺飾り構造体１１１に取り付けられる。戻り球防止弁１２０は、外バンド１１６や内バンド１１７よりも厚さの薄い薄帯板状のステンレスまたは合成樹脂により形成される板ばねである。戻り球防止弁１２０が周辺飾り構造体１１１に取り付けられた場合、戻り球防止弁１２０は、取付部の存在する基部から外バンド１１６の側に位置する先端部に行くに従って、発射通路１１５の出口から遊技領域１１２の側に徐々に傾斜する格好になる。戻り球防止弁１２０の先端は、外バンド１１６の遊技領域１１２の側に位置する内側面に接触するかまたは接触する程度に近づいていればよい。この接触する程度は、戻り球防止弁１２０の先端と外バンド１１６の内側面との間に１個の球の直径よりも小さい隙間が存在し、遊技領域１１２から外バンド１１６の内側面に沿って発射通路１１５の側に逆行する球が上記戻り球防止弁１２０の先端と外バンド１１６の内側面との間に引っかかることなく通過することもできない範囲であればよい。
【００２５】
そして、発射機構１０３から発射された球が発射通路１１５から戻り球防止弁１２０を押し開けることによって、戻り球防止弁１２０の先端部が外バンド１１６から離れるように、戻り球防止弁１２０の取付部を基準として、戻り球防止弁１２０が全体的に遊技領域１１２の側に弾性変形する。そして、戻り球防止弁１２０を押し開けた球が戻り球防止弁１２０から遊技領域１１２の側に離れることによって、戻り球防止弁１２０の先端部が外バンド１１６に近づくように、戻り球防止弁１２０が全体的に図６に示す形態に復元する。このように戻り球防止弁１２０が復元した形態において、発射通路１１５から遊技領域１１２に発射された球が遊技領域１１２から発射通路１１５の側に逆行してきた場合、当該球が戻り球防止弁１２０に衝突し、戻り球防止弁１２０が当該球を遊技領域１１２から発射通路１１５に取り込まれることを防止して遊技領域１１２に跳ね返す。
【００２６】
周辺飾り構造体１１１の下縁部には不正防止バンド１２２が直線的に取り付けられる。不正防止バンド１２２は、弾性の有る合成樹脂で形成されたものであって、図５のパネル枠８１が閉じられることによって、不正防止バンド１２２が図５の前面パネル８４の内側面（遊技盤１１０の側に位置する面）に接触し、遊技者がピアノ線や合成樹脂製薄帯板などの不正操作部材を遊技領域１１２よりも下方の図５に示す遊技機枠７１の前側から遊技機枠７１の前面構成部品間の隙間を経由して遊技領域１１２に挿入しようとした場合、パネルの内側面に接触した不正防止バンド１２２が不正操作部材を受け止めて不正操作部材の遊技領域１１２への侵入を防止する。
【００２７】
周辺飾り構造体１１１の右側の上下部には、遊技盤１１０を図５の遊技機枠７１に固定するための取付部１２３が設けられる。取付部１２３は、図５に示す遊技主体収納室９５に設けられた遊技主体ロック部材９９と係合するロック挿入孔１２４を備える。周辺飾り構造体１１１の右側の下部には、証紙台１２６が、前後方向に開閉可能に設けられる。証紙台１２６が図６に示すように、周辺飾り構造体１１１との連結部である図外のヒンジを回転中心として前方に開かれることによって、下部の取付部１２３が右周辺飾り構造体１１１の前側から見える格好となる。そして、証紙台１２６が上記ヒンジを回転中心として後方に閉じられ、証紙台１２６が証紙台受部１２７で受け止められることによって、取付部１２３が証紙台１２６で覆われて周辺飾り構造体１１１の前側から見えなくなる。閉じられた証紙台１２６の前面には、遊技盤１１０が図外の組合の検査に合格して販売の認可を受けたことを示すための図外の証紙が、貼り付けられる。
【００２８】
遊技領域１１２を形成する光透過性合成樹脂からなる板状構造体１１３には、センター飾り１３１、一般入賞部品１３２、作動入賞部品１３３、始動入賞部品１３４、可変入賞部品１３５、遊技釘１３６などの遊技部品が、周辺飾り構造体１１１の発射通路１１５を除く丸形開口部１１４で囲まれた光透過性を有する遊技領域１１２に取り付けられる。一般入賞部品１３２は、球を遊技領域１１２から取り込み、当該取り込んだ球を遊技領域１１２の裏側に排出する、取込形である。一般入賞部品１３２の内部には、図９に示す一般入賞球検出器１５５を備える。作動入賞部品１３３は、球を遊技領域１１２から取り込み、当該取り込んだ球を遊技領域１１２の裏側に取り込むことなく、遊技領域１１２に排出する、通過形である。作動入賞部品１３３の内部には、図９に示す作動入賞球検出器１５６を備える。始動入賞部品１３４は、一対の羽根１３７の下部を回転中心とし、一対の羽根１３７を図９に示す始動駆動源１６１で左右方向に開閉する電動チューリップと呼ばれる構造である。始動入賞部品１３４は、球を遊技領域１１２から取り込み、当該取り込んだ球を遊技領域１１２の裏側に排出する、取込形である。始動入賞部品１３４の左右一対の羽根１３７は、閉じた場合でも、球を受け入れ得る形態、受け入れない形態のいずれでも適用できる。始動入賞部品１３４の内部には、図９に示す始動入賞球検出器１５７を備える。可変入賞部品１３５は、横長な長方形状の開閉体１３８の下部を回転中心とし、開閉体１３８を図９に示す可変駆動源１６２で前後方向に開閉するアタッカーまたは大入賞口と呼ばれる構造である。可変入賞部品１３５の開閉体１３８で閉じたり開かれたりする空洞形状の球受入部の内部には、カウントスイッチと呼ばれる図９に示す普通入賞球検出器１５８と、Ｖスイッチと呼ばれる図９に示す特定入賞球検出器１５９とを備える。可変入賞部品１３５の球受入部に取り込まれた球は、普通入賞球検出器１５８または特定入賞球検出器１５９を通過した後に遊技盤１１０の裏側に排出される。よって、可変入賞部品１３５は取込型である。遊技盤１１０の裏面には、一般入賞部品１３２、始動入賞部品１３４、可変入賞部品１３５、アウト口１１８から遊技盤１１０の裏側に排出された球を下方に誘導して排出する集合樋１３９が設けられる。
【００２９】
図７を参照し、映写装置１と遊技機枠７１とが互いに組み立てられた構造について説明する。映写装置１におけるスクリーン支持体１４とスクリーン５と前被覆体１１とが可動枠７５の裏側から中央開口部９６に収納され、スクリーン支持体１４の前面が遊技主体収納室９５の裏壁の前面と同一面内に位置される。そして、映写装置１の図２に示す装置取付部６が可動枠７５の裏側から可動枠７５の遊技主体収納構造体７８に取り付けられることによって、映写装置１が可動枠７５に取り付けられる。また、遊技盤１１０の遊技領域１１２が前側に向けられ、遊技盤１１０が遊技機枠７１の前側から遊技主体収納室９５に挿入され、遊技盤１１０の下部が遊技主体棚１０１の上に載せられ、遊技盤１１０の左側部が遊技主体受部９８と遊技主体押圧部９７とで前後方向から挟まれた後、遊技盤１１０の右側部が後側に押され、遊技主体ロック部材９９のロック操作部１００が取付部１２３のロック挿入孔１２４に後側から挿入されて前側に突出した状態において、作業者がロック操作部１００を例えば右方向に９０度回転操作すると、ロック操作部１００がロック挿入孔１２４の周りにおける取付部１２３と係合し、遊技盤１１０が可動枠７５に取り付けられる。遊技盤１１０が取り付けられた後、可動枠７５が閉じられるとともに、球皿構造体８２が閉じられる。これによって、図１０に示すように、パチンコ機が構成される。
【００３０】
図１を参照し、前記のように可動枠７５の裏部に映写装置１が取り付けられ、可動枠７５の前部に遊技盤１１０が取り付けられた構造について説明する。図１における符号Ｌは、投影機３から照射された投影光を示す。映写装置１のスクリーン５の前側に遊技盤１１０の光透過性合成樹脂からなる板状構造体１１３が非接触に配置される。そして、図６に示す遊技盤１１０の板状構造体１１３から前側に突出したセンター飾り１３１と一般入賞部品１３２と作動入賞部品１３３と始動入賞部品１３４と可変入賞部品１３５および遊技釘１３６などの遊技部品がスクリーン５の前側に配置され、遊技盤１１０の丸形開口部１１４がスクリーン５の前側に対向して配置される。
【００３１】
そして、投影機３の液晶表示器８が電気的に画像を表示し、投影機３の投影光源７が電気的に光を画像の表示されている液晶表示器８に照射し、その投影光が投影機３の投影レンズ９で拡大され、その拡大された投影光が反射鏡４で前側に反射してスクリーン５の全域に上記液晶表示器８で表示された画像を拡大して映写し、図７に示す遊技機枠７１の前側から遊技者がスクリーン５に映し出された画像を閉じられたパネル枠８１の前面パネル８４と遊技盤１１０の丸形開口部１１４および光透過性合成樹脂からなる板状構造体１１３を通して見ることをできる。
【００３２】
また、遊技者が図７に示す球皿構造体８２の球収納部９０に球を入れ、発射操作機構９１および図９に示す電気系統が電気的に起動した状態において、人が発射操作機構９１を操作すると、発射機構１０３が発射操作機構９１から出力された操作量に応じた発射力で例えば１分間に１から１００発未満までの所定数の間隔で駆動し、この発射機構１０３が球収納部９０から発射レール１０４に供給された球を１個ずつ遊技盤１１０の発射通路１１５に向けて発射する。この発射通路１１５に発射された球が発射通路１１５から戻り球防止弁１２０を押し開けて遊技領域１１２に到達した後に遊技領域１１２を流下する過程において、一般入賞部品１３２や始動入賞部品１３４あるいは可変入賞部品１３５に入賞すると、一般入賞部品１３２や始動入賞部品１３４あるいは可変入賞部品１３５に入賞した球が遊技盤１１０の裏側に排出される一方、それぞれの入賞に対応する賞球としての球が払出機構１０７から球収納部９０に払い出される。一般入賞部品１３２や始動入賞部品１３４あるいは可変入賞部品１３５に入賞しないで遊技領域１１２の最下部に流れた球は、アウト口１１８に取り込まれた遊技盤１１０の裏側に排出される。これによって、遊技者は、スクリーン５に映し出された画像を遊技領域１１２の全域に見ながら遊技領域１１２に行き交う球の動きとを見ることができる。
【００３３】
図８を参照し、遊技機枠７１と映写装置１との裏側の構造について説明する。遊技機枠７１において、図７の遊技主体収納構造体７８の裏面の上部には、タンク１０８と払出機構１０７とが、左右に並べられて取り付けられる。遊技主体収納構造体７８の裏面におけるヒンジ７６の側に位置する側部には、払出機構１０７から払い出された球を下方に誘導する縦樋１４０が、取り付けられる。縦樋１４０よりも下部における図７の遊技主体収納構造体７８における裏面の右側部には、発射制御装置１５２と払出制御装置１５１とが、前後方向で２段となった格好で取り付けられる。例えば、発射制御装置１５２が遊技主体収納構造体７８の側である前側に配置され、払出制御装置１５１が発射制御装置１５２よりも後側に配置される。払出制御装置１５１はカード端子を備える。カード端子は、プリペイドカードで球貸を行うためのカードユニットからの配線を払出制御装置１５１に接続するためコネクタにより形成される。遊技機枠７１において、装置筐体２における裏面の上部には、電源装置１４５が取り付けられる。装置筐体２の裏面の中間部には、主制御装置１４８と複合制御装置１４９とが、左右に並べられて取り付けられる。主制御装置１４８よりもヒンジ７６と反対外に位置する側部における遊技主体収納構造体７８における裏面の左側部には、投影機駆動回路１４６が取り付けられる。装置筐体２の裏面の下部には、図柄制御装置１５０が取り付けられる。
【００３４】
図９を参照し、パチンコ機の電気系統について説明する。電気系統は、電源装置１４５のプラグがパチンコ店の島電源と呼ばれる交流１００ボルトを交流２４ボルトに変換して出力する図外の店側電源装置に接続され、電源装置１４５の電源スイッチが投入されると、電源装置１４５が店側電源装置から供給された交流電源を投影機駆動回路１４６に出力するとともに店側電源装置から供給された交流電源を直流電源に変換する。投影機駆動回路１４６は、交流電源を直流電源に変換して投影機制御回路１４７に出力する。電源装置１４５は上記変換した直流電源を主制御装置１４８と複合制御装置１４９と図柄制御装置１５０と払出制御装置１５１と発射制御装置１５２とからなる遊技制御装置に供給する。これによって、投影機制御回路１４７と主制御装置１４８と複合制御装置１４９と図柄制御装置１５０と払出制御装置１５１および発射制御装置１５２のそれぞれに格納されたマイクロコンピュータが起動し、図柄制御装置１５０が画像制御信号を投影機制御回路１４７に出力し、投影機制御回路１４７が図柄制御信号に基づき図１の液晶表示器８を駆動し、液晶表示器８が図柄制御信号に対応する画像を表示する一方、投影機制御回路１４７が投影光源７を点灯し、投影光源７が光を画像の表示されている液晶表示器８に照射し、投影光が投影機３の投影レンズ９で拡大され、拡大された投影光が反射鏡４で前側に反射してスクリーン５に上記液晶表示器８で表示された画像を拡大して映写する。
【００３５】
主制御装置１４８には、一般入賞球検出器１５５と作動入賞球検出器１５６と始動入賞球検出器１５７と普通入賞球検出器１５８および特定入賞球検出器１５９などの入力機器と、図６に示す始動入賞部品１３４の始動駆動源１６１と図６に示す可変入賞部品１３５の可変駆動源１６２と遊技店の管理を行うホールコンピュータ１６３などの出力機器とが配線で接続される。複合制御装置１４９は主制御装置１４８と配線で接続され、複合制御装置１４９には表示灯１６５およびスピーカー１６６などの出力機器が配線で接続される。表示灯１６５は、図７に示す遊技機枠７１の前部または遊技盤１１０の前部に設けられ、点灯、点滅、消灯で遊技演出を行う部品である。スピーカー１６６は音で遊技演出を行う部品である。
【００３６】
払出制御装置１５１は主制御装置１４８と配線で接続され、払出制御装置１５１には、図７に示す払出機構１０７の払い出される球を検出する払出球検出器１６７と払出機構１０７のタンク１０８の側に球切れの発生があることを検出する球切れ検出器１６８および払出機構１０７の球皿構造体８２の側に球が満タンであることを検出する満タン検出器１６９などの入力機器と、払出機構１０７の球を払い出す動作を行ったり停止したりする払出駆動源１７０としての出力機器とが配線で接続される。発射制御装置１５２は払出制御装置１５１と配線で接続される。発射制御装置１５２には、発射操作機構９１の球の発射を停止するための発射停止検出器１７１と発射操作機構９１への遊技者による操作量を可変抵抗値として出力する可変抵抗器１７２および発射操作機構９１への遊技者の接触を検出する接触検出器１７３などの入力機器と、発射機構１０３の発射駆動源１７４としての出力機器とが配線で接続される。
【００３７】
そして、投影機駆動回路１４６、投影機制御回路１４７、遊技制御装置が電気的に起動した状態において、一般入賞球検出器１５５が一般入賞検出信号を主制御装置１４８に出力すると、主制御装置１４８が一般入賞検出信号に対応して定められて賞球払出数を含む賞球払出信号を払出制御装置１５１に出力し、払出制御装置１５１が払出駆動源１７０を駆動する。これによって、図８に示す払出機構１０７のスプロケットのような払出体が回転を開始し、払出機構１０７が賞球としての球を払い出す。この払い出された球は、縦樋１４０を経由して図７に示す球皿構造体８２の球収納部９０に排出される。作動入賞球検出器１５６が作動入賞検出信号を主制御装置１４８に出力すると、主制御装置１４８が作動入賞による抽選処理を実行した結果とともに作動入賞による演出開始信号を複合制御装置１４９に出力し、複合制御装置１４９が演出開始信号に基づく普図変動開始信号を図柄制御装置１５０に出力し、図柄制御装置１５０が普図変動開始信号に基づく例えば「０」−「９」までの複数の普通図柄データおよび普図変動データを投影機制御回路１４７に出力する。これによって、投影機制御回路１４７が図１の液晶表示器８における表示画面に割り当てられた普通図柄表示領域に複数の普通図柄を可変表示するように液晶表示器８を制御する。普通図柄が液晶表示器８に表示される場合、投影機制御回路１４７は普通図柄表示領域における普通図柄以外の画像を陰面処理する。これによって、スクリーン５に表示された普通図柄と画像とが、重ならず、見やすくなる。
【００３８】
主制御装置１４８は演出開始信号を複合制御装置１４９に出力した時点からの経過時間を計測し、計測した経過時間が主制御装置１４８に定められた普図変動時間に到達すると、作動入賞による抽選処理の結果とともに演出停止信号を複合制御装置１４９に出力し、複合制御装置１４９が演出停止信号に基づく普図変動停止信号を図柄制御装置１５０に出力し、図柄制御装置１５０が抽選処理の結果を反映した普通図柄確定データを投影機制御回路１４７に出力する。これによって、投影機制御回路１４７が普通図柄表示領域に抽選処理の結果を反映した普通図柄を停止表示するように図１の液晶表示器８を制御する。上記主制御装置１４８が複合制御装置１４９に演出停止信号と一緒に出力抽選処理の結果が当たりである場合、上記液晶表示器８が例えば「７」の普通図柄を当たりで停止表示する時期に、主制御装置１４８は始動駆動源１６１を所定回数と所定時間とで駆動する。これによって、図７の始動入賞部品１３４の羽根１３７が上記所定回数と所定時間とに基づき開閉する。当たりで停止表示される普通図柄は、同じ普通図柄を２つ並べた形態でもよい。
【００３９】
始動入賞球検出器１５７が作動入賞検出信号を主制御装置１４８に出力すると、主制御装置１４８が始動入賞による抽選処理を実行した結果とともに始動入賞による演出開始信号を複合制御装置１４９に出力し、複合制御装置１４９が演出開始信号に基づく特図変動開始信号を図柄制御装置１５０に出力し、図柄制御装置１５０が特図変動開始信号に基づく例えば「０」−「９」や「絵図柄」などの複数の特別図柄データおよび特図変動データを投影機制御回路１４７に出力する。これによって、投影機制御回路１４７が図１の液晶表示器８における表示画面に割り当てられた特別図柄表示領域に複数の特別図柄を可変表示するように液晶表示器８を制御する。特別図柄が液晶表示器８に表示される場合、投影機制御回路１４７は特別図柄表示領域における特別図柄以外の画像を陰面処理する。これによって、スクリーン５に表示された特別図柄と画像とが、重ならず、見やすくなる。
【００４０】
主制御装置１４８は演出開始信号を複合制御装置１４９に出力した時点からの経過時間を計測し、計測した経過時間が主制御装置１４８に定められた特図変動時間に到達すると、始動入賞による抽選処理の結果とともに演出停止信号を複合制御装置１４９に出力し、複合制御装置１４９が演出停止信号に基づく特図変動停止信号を図柄制御装置１５０に出力し、図柄制御装置１５０が抽選処理の結果を反映した特別図柄確定データを投影機制御回路１４７に出力する。これによって、投影機制御回路１４７が特別図柄表示領域に抽選処理の結果を反映した特別図柄を停止表示するように図１の液晶表示器８を制御する。
【００４１】
前記主制御装置１４８が複合制御装置１４９に演出停止信号と一緒に出力抽選処理の結果が当たりである場合、上記液晶表示器８が例えば同じ特別図柄を３個一列に並べた形態のように当たりで停止表示する時期に、主制御装置１４８は可変駆動源１６２を所定回数と所定時間とで駆動する。上記当たりで停止表示される特別図柄は、３個に限定されるものではなく、１個、２個、４個以上であってもよい。上記可変駆動源１６２の駆動によって、図７に示す可変入賞部品１３５の開閉体１３８が上記所定回数と所定時間とに基づき開閉する。この可変入賞部品１３５による動作が大当たり遊技である。即ち、開閉体１３８の開放中に可変入賞部品１３５に取り込まれた球は、普通入賞球検出器１５８または特定入賞球検出器１５９のいずれかで検出される。主制御装置１４８は、開閉体１３８の開放経過時間をカウントアップし、普通入賞球検出器１５８から普通入賞信号が入力されるごとに普通入賞個数をカウントアップする。そして、開放経過時間によるカウントアップ値が主制御装置１４８に設定された例えば３０秒のような設定開放時間に到達するか、または、普通入賞個数によるカウントアップ値が主制御装置１４８に設定された例えば１０個のような設定普通入賞個数に到達すると、主制御装置１４８が可変駆動源１６２を停止する。
【００４２】
これによって、可変入賞部品１３５の開閉体１３８が閉じる。この１回の開閉体１３８の開放中において、主制御装置１４８は、特定入賞球検出器１５９から特定入賞信号が入力されると、当該開閉体１３８における１回の開閉終了後に、開閉体１３８を再び１回開閉するために可変駆動源１６２を駆動するとともに、ラウンド遊技の継続回数を１回としてカウントアップする。この特定入賞信号で開閉体１３８が再び１回開閉するランド遊技は、上記ラウンド遊技の継続回数によるカウントアップ値が主制御装置１４８に設定された例えば１６回のような設定継続回数に到達するまで繰り返され、１回の大当たり遊技が終了する。また、上記普通入賞信号および特定入賞信号の入力ごとに、主制御装置１４８は、普通入賞信号または特定入賞信号に対応して定められて賞球払出数を含む賞球払出信号を払出制御装置１５１に出力し、払出制御装置１５１が払出駆動源１７０を駆動し、図７の払出機構１０７が賞球としての球を球皿構造体８２の球収納部９０に払い出す。
【００４３】
本実施形態の構造によれば、図１に示すように、映写装置１において、金属からなる上部品取付具３０が合成樹脂からなる装置筐体２の上部を抱え持つ格好で装置筐体２の裏面に取り付けられたので、装置筐体２を構成する壁の厚さを薄くして軽量化を図っても、当該装置筐体２の上部を上部品取付具３０で補強して、装置筐体２の上部の変形を抑えることができ、装置筐体２に取り付けられた反射鏡４を適正な姿勢に保持し、鮮明な画像をスクリーン５に映し出すことができるという利点がある。金属からなる下部品取付具４５が合成樹脂からなる装置筐体２の下部を抱え持つ格好で装置筐体２の裏面に取り付けられたので、装置筐体２を構成する壁の厚さを薄くして軽量化を図っても、当該装置筐体２の下部を下部品取付具４５で補強して、装置筐体２の下部の変形を抑えることができ、装置筐体２に取り付けられた反射鏡４を適正な姿勢に保持し、鮮明な画像をスクリーン５に映し出すことができるという利点がある。電源装置１４５が装置筐体２の裏面の上部に設けられた上部品取付具３０に取り付けられたので、電源装置１４５を合成樹脂からなる装置筐体２に直接的に取り付けた場合に比べ、装置筐体２の上部が電源装置１４５の重さで変形することも抑えることができるという利点がある。しかも、電源装置１４５の金属からなる電源筐体１４５ａが金属からなる上部品取付具３０に接触しているので、電源装置１４５の動作で電源装置１４５の内部に発生した熱を電源筐体１４５ａから上部品取付具３０に伝達して大気中に放出することができ、電源装置１４５を効率よく冷却することができるという利点がある。
【００４４】
本実施形態の構造によれば、電源装置１４５が上に位置し、制御装置である主制御装置１４８と複合制御装置１４９とが下に位置しているので、電源装置１４５から放出される熱が主制御装置１４８や複合制御装置１４９に作用することがなく、主制御装置１４８や複合制御装置１４９の熱劣化を防止することができるという利点がある。主制御装置１４８と複合制御装置１４９との取り付けられた単一構成の制御取付基板１８が、上部品取付具３０と下部品取付具４５とにわたって取り付けられているので、主制御装置１４８と複合制御装置１４９との装置筐体２への着脱容易化を図ることができるという利点がある。制御取付基板１８と装置筐体２との間には、上部品取付具３０と下部品取付具４５とで形成された図１に示す隙間６０が存在するので、当該隙間６０が下方から電源装置１４５に供給される冷気通路となり、電源装置１４５を効率よく冷却することができるという利点がある。電源装置１４５と投影機駆動回路１４６と主制御装置１４８と複合制御装置１４９および図柄制御装置１５０などの映写に必要な電気部品が装置筐体２の裏面に取り付けられたので、投影レンズ９の焦点調整を容易に行うことができるという利点がある。上部品取付具３０が中央に大きな抜開口３２を備えたので、上部品取付具３０の軽量化も図ることができるという利点がある。しかも、抜開口３２よりも下部において、上部品取付具３０には、電源受部３５が下電源装置取付部３４の間に位置して主板部３１に切り起こし形成されたので、上部品取付具３０の電源装置１４５を取り付ける部分の強度が高くなるという利点がある。上部品取付具３０と下部品取付具４５とが別々に形成されたので、上部品取付具３０および下部品取付具４５を装置筐体２に別々に取り付ける必要はあるものの、映写装置１の軽量化を一層図ることができるという利点がある。
【００４５】
本実施形態において、図１に示すように、遊技機枠７１に設けられるタンク１０８の前後幅Ｌ１が、映写装置１における電源装置１４５の上面１４５ｄにおける前後幅Ｌ２と同じかまたは大きいけれども電源筐体１４５ａの裏壁における裏面１４５ｅと裏面１４５ｅから後傾姿勢となる下半部１４５ｆとの稜線部分１４５ｇまでの前後幅Ｌ３以下の寸法、つまり、Ｌ２≦Ｌ１≦Ｌ３に設定されれば、映写装置１の上方から、例えば、タンク１０８から落下した球Ｐが、矢印Ｘで示すように、電源装置１４５の上面１４５ｄに衝突することなく前傾姿勢となった裏面１４５ｅに衝突して電源装置１４５から離れるように斜め下方に落下する。これによって、上記球Ｐに相当する映写装置１の上方からの落下物が装置筐体２と主制御装置１４８と複合制御装置１４９および図柄制御装置１５０などに衝突することがなく、装置筐体２と主制御装置１４８と複合制御装置１４９および図柄制御装置１５０などを上方からの落下物から保護することができるという利点がある。
【００４６】
実施形態のように電源装置１４５と主制御装置１４８および複合制御装置１４９が、装置筐体２の前傾姿勢となった裏壁に取り付けられることによって、次のような効果を奏する。この点について図１１を用いて説明する。図１１のａ図は、実施形態を示す。図１１のｂ図は、対比例を示す。図１１において、符号Ａは、主制御装置１４８と複合制御装置１４９とに相当する制御装置を示し、符号Ｂは、ａ図における装置筐体２に類似する装置筐体を示す。装置筐体Ｂは、装置筐体２における前傾姿勢の裏壁の下部Ｄを中心として垂直姿勢に姿勢変更した形態である。ａ図において、装置筐体２の前面から制御装置Ａまでの奥行きは、Ｈ１である。ｂ図において、装置筐体Ｂの前面から電源装置１４５までの奥行きは、Ｈ２である。そして、実施形態では電源装置１４５と制御装置Ａとが装置筐体２の前傾姿勢となった裏壁に取り付けられているのに対し、対比例では電源装置１４５と制御装置Ａとが装置筐体Ｂの垂直姿勢となった裏壁に取り付けられているので、Ｈ１＜Ｈ２である。よって、ａ図の装置筐体２の前面とｂ図の装置筐体Ｂの前面とを上下方向に直線的に延びる一つの基準線と同一面内に配置した場合、対比例に比べ、実施形態の方が、基準線からの奥行きを小さくできる。また、対比例では電源装置１４５と制御装置Ａとが垂直状に配置されているので、電源装置１４５と制御装置Ａとの周りに空間が設けられないのに対し、実施形態ではａ図に斜線を付すとともに符号Ｃを付した側面視略三角形状の裏空間が形成される。よって、映写装置１を搭載した遊技機が、遊技店の島と呼ばれる遊技設置構造体に取り付けられた場合、上記裏空間Ｃに、遊技設置構造体が保有する補給系統の球樋や島電源から遊技機への電力を供給する電線を配置することができる。対比例では、ｂ図に示すように、電源装置１４５や制御装置Ａから装置筐体Ｂに加わる荷重Ｆ３は垂直になる。これに対し、ａ図では、上記荷重Ｆ３が荷重Ｆ１と荷重Ｆ２との分力になる。よって、実施形態では、電源装置１４５や制御装置Ａから装置筐体２に加わる荷重Ｆ３は、荷重Ｆ１と荷重Ｆ２とに分散されるので、装置筐体２の形状保持性能が対比例よりも向上する。
【産業上の利用可能性】
【００４７】
遊技機としてスロットマシンの映写装置１としても同様に適用することができる。この場合、光透過性合成樹脂からなる板状構造体１１３に類似する板状構造体を全体的にまたは当該板状構造体の前面を遊技機枠７１に相当するスロットマシンの遊技機枠の前側に突出する弧状に形成するか、または、反射鏡４を前側に突出する弧状に形成するか、または、スクリーン５を前側に突出する弧状に形成するか、または、前面パネル８４を前側に突出する弧状に形成すれば、ドラムタイプのような画像を表現することができる。スロットマシンに用いる板状構造体は、板状構造体１１３に遊技部品を設けない点で板状構造体１１３と相違する。上部品取付具３０および下部品取付具４５が、重量は重くなるもの、単一構造体に形成してもよい。
【図面の簡単な説明】
【００４８】
【図１】映写装置を示す縦断面図（一実施形態）。
【図２】映写装置を前側から示す斜視図（同実施形態）。
【図３】映写装置の裏側に設けられる構成部品を示す分解斜視図（同実施形態）。
【図４】映写装置の裏側への構成部品の組立工程を示す工程図（同実施形態）。
【図５】遊技機枠を示す斜視図（同実施形態）。
【図６】遊技盤を示す斜視図（同実施形態）。
【図７】映写装置と遊技機枠と遊技盤とを示す斜視図（同実施形態）。
【図８】映写装置と遊技機枠とを示す背面図（同実施形態）。
【図９】電気系統を示すブロック図（同実施形態）。
【図１０】パチンコ機を示す斜視図（同実施形態）。
【図１１】実施形態と対比例とを示す模式図（同実施形態）。
【符号の説明】
【００４９】
１  映写装置
２  装置筐体
３  投影機
４  反射鏡
５  スクリーン
１８  制御取付基板
３０  上部品取付具（部品取付具）
３２  抜開口
４５  下部品取付具（部品取付具）
７１  遊技機枠
１４５  電源装置
１４５ａ  電源筐体
１４６  投影機駆動回路（電気部品）
１４８  主制御装置（制御装置）
１４９  複合制御装置（制御装置）
１５０  図柄制御装置（電気部品）
【図１】
2005144002.tif 000003
【図２】
2005144002.tif 000004
【図３】
2005144002.tif 000005
【図４】
2005144002.tif 000006
【図５】
2005144002.tif 000007
【図６】
2005144002.tif 000008
【図７】
2005144002.tif 000009
【図８】
2005144002.tif 000010
【図９】
2005144002.tif 000011
【図１０】
2005144002.tif 000012
【図１１】
2005144002.tif 000013